【手続補正書】
【提出日】令和2年12月18日(2020.12.18)
【手続補正１】
【補正対象書類名】明細書
【補正対象項目名】全文
【補正方法】変更
【補正の内容】
【発明の詳細な説明】
【発明の名称】ヌメロロジーと関連付けられるリソースの個別構成
【技術分野】
【０００１】
関連出願の相互参照
本開示は、２０１７年１月２０に出願された、「ＳＥＰＡＲＡＴＥ  ＣＯＮＦＩＧＵＲＡＴＩＯＮ  ＯＦ  ＮＵＭＥＲＯＬＯＧＹ−ＡＳＳＯＣＩＡＴＥＤ  ＳＵＢＢＡＮＤ  ＦＯＲ  ＰＤＣＣＨ  ＡＮＤ  ＰＤＳＣＨ」という名称の米国仮出願第６２／４４８，６７６号に基づき、その優先権を主張するものであり、その米国仮出願の全内容は、参照により本明細書に組み込まれている。
【０００２】
本開示は、一般的には、通信の分野でのリソース構成に関係し、より詳細には、物理ダウンリンク制御チャネル（ＰＤＣＣＨ）および別の物理チャネルに対して、周波数リソースのセットを個別に構成するための方法および装置に関係する。
【背景技術】
【０００３】
第４世代（４Ｇ）通信のロング・ターム・エボリューション（ＬＴＥ）では、ＰＤＣＣＨおよびＰＤＳＣＨの両方などの物理チャネルは、システム帯域幅全体にわたって送信され、単一ヌメロロジーを使用する。例えば、システム帯域幅全体で、ＰＤＣＣＨおよびＰＤＳＣＨの両方は、１５ｋＨｚなどの同じサブキャリア間隔（ＳＣＳ：ｓｕｂｃａｒｒｉｅｒ  ｓｐａｃｉｎｇ）を使用する。
【０００４】
第５世代（５Ｇ）通信技術の提案および研究とともに、キャリアのシステム帯域幅は、複数個のリソース・セット（または、帯域幅パート（ＢＷＰ：Ｂａｎｄｗｉｄｔｈ  Ｐａｒｔ）もしくはサブ帯域と呼ばれる）に分割されることがある。ＢＷＰの各々は、特定のヌメロロジーと関連付けられる。かくして、どのように物理チャネルに対してリソース・セットを構成すべきかが問題である。
【０００５】
関係付けられる技術では、ＰＤＣＣＨおよびＰＤＳＣＨに対して、関連付けられるヌメロロジーを伴うサブ帯域を構成するための手法が存する。この手法によれば、関連付けられるヌメロロジーを伴うサブ帯域は、システム情報（ＳＩ：Ｓｙｓｔｅｍ  Ｉｎｆｏｒｍａｔｉｏｎ）、無線リソース制御（ＲＲＣ：Ｒａｄｉｏ  Ｒｅｓｏｕｒｃｅ  Ｃｏｎｔｒｏｌ）シグナリング、または同報シグナリング（ｂｒｏａｄｃａｓｔｉｎｇ  ｓｉｇｎａｌｉｎｇ）などのシステム・メッセージによってのみで、同時に、ＰＤＣＣＨおよびＰＤＳＣＨに対して指示される。例えば、図１および図２は、それぞれ、可変帯域幅サブ帯域シナリオでの、および、同一帯域幅サブ帯域シナリオでの概略構成を示す。これらの２つのシナリオでは、ＳＣＳが、関連付けられるヌメロロジーの一例として取り上げられる。図１で示されるように、ＳＣＳ１を伴うサブ帯域１、ＳＣＳ２を伴うサブ帯域２、および、ＳＣＳ３を伴うサブ帯域３は、１つのメッセージのみで、ＰＤＣＣＨ  ＡおよびＰＤＳＣＨ  Ａ、ＰＤＣＣＨ  ＢおよびＰＤＳＣＨ  Ｂ、ならびに、ＰＤＣＣＨ  ＣおよびＰＤＳＣＨ  Ｃに対して、同時に、それぞれ指示される。さらに、図２で示されるように、ＳＣＳ１を伴うサブ帯域２は、ＳＩ、ＲＲＣシグナリング、または同報シグナリングによって、ＰＤＣＣＨ  ＡおよびＰＤＳＣＨ  Ａの両方に対して指示される。
【０００６】
この手法は、すべて一斉に、それぞれのＰＤＣＣＨおよびＰＤＳＣＨに対して、関連付けられるヌメロロジーを伴うサブ帯域／ＢＷＰの統一されたセットを構成することができるのみであり、かくして、５Ｇ技術でのマルチ・ヌメロロジーを伴う複数個のリソース・セットに関する利点を、完全および柔軟に利用することはできない。
【発明の概要】
【発明が解決しようとする課題】
【０００７】
本開示の実現形態は、物理ダウンリンク制御チャネル（ＰＤＣＣＨ）および別の物理チャネルに対して、周波数リソースのセットを個別に構成するための構成解決策を提供する。
【課題を解決するための手段】
【０００８】
本開示の第１の態様では、物理ダウンリンク制御チャネル（ＰＤＣＣＨ）および別の物理チャネルに対して、周波数リソースのセットを構成するための方法が提供される。方法によれば、第１のメッセージおよび第２のメッセージが構成される。第１のメッセージは、ＰＤＣＣＨに対して、第１の関連付けられるヌメロロジーを伴う周波数リソースの第１のセットを指示するように構成され、第２のメッセージは、別の物理チャネルに対して、第２の関連付けられるヌメロロジーを伴う周波数リソースの第２のセットを指示するように構成される。第１のメッセージおよび第２のメッセージは送信される。ＰＤＣＣＨは、周波数リソースの第１のセットからのリソースで送信され、別の物理チャネルは、周波数リソースの第２のセットからのリソースで送信される。
【０００９】
本開示の第２の態様では、物理ダウンリンク制御チャネル（ＰＤＣＣＨ）および別の物理チャネルに対して、周波数リソースのセットを決定するための方法が提供される。方法によれば、ＰＤＣＣＨが受信され、ＰＤＣＣＨは、第１の関連付けられるヌメロロジーを伴う周波数リソースの第１のセットからのリソースで送信される。第１の関連付けられるヌメロロジーを伴う周波数リソースの第１のセットは、ＰＤＣＣＨに対して、第１のメッセージにより指示される。別の物理チャネルが受信され、別の物理チャネルは、第２の関連付けられるヌメロロジーを伴う周波数リソースの第２のセットからのリソースで送信される。第２の関連付けられるヌメロロジーを伴う周波数リソースの第２のセットは、別の物理チャネルに対して、第２のメッセージにより指示される。ＰＤＣＣＨおよび別の物理チャネルに対する周波数リソースのセットは、第１および第２のメッセージによって決定される。
【００１０】
本開示の第３の態様では、物理ダウンリンク制御チャネル（ＰＤＣＣＨ）および別の物理チャネルに対して、周波数リソースのセットを個別に構成するための装置が提供され、その装置は、構成モジュールと、送信モジュールとを含む。構成モジュールは、第１のメッセージおよび第２のメッセージを構成する。第１のメッセージは、ＰＤＣＣＨに対して、第１の関連付けられるヌメロロジーを伴う周波数リソースの第１のセットを指示するように構成され、第２のメッセージは、別の物理チャネルに対して、第２の関連付けられるヌメロロジーを伴う周波数リソースの第２のセットを指示するように構成される。送信モジュールは、第１のメッセージおよび第２のメッセージを送信し、ＰＤＣＣＨを、周波数リソースの第１のセットからのリソースで送信し、別の物理チャネルを、周波数リソースの第２のセットからのリソースで送信する。
【００１１】
一例では、周波数リソースの第１および第２のセットは、帯域幅パート（ＢＷＰ）、または、ＢＷＰ内の制御リソース・セット（ＣＯＲＥＳＥＴ：ｃｏｎｔｒｏｌ  ｒｅｓｏｕｒｃｅ  ｓｅｔ）である。
【００１２】
一例では、周波数リソースの第１のセットの少なくとも１つの部分は、周波数リソースの第２のセットと重ならないことがある。第１の関連付けられるヌメロロジーの値は、第２の関連付けられるヌメロロジーの値と異なることがある。
【００１３】
一例では、第１のメッセージは、ＳＩ、ＲＲＣシグナリング、および同報シグナリングのうちの１つであり、第２のメッセージは、そのＰＤＣＣＨまたは後に続くＰＤＣＣＨで送信されるダウンリンク制御情報（ＤＣＩ）である。
【００１４】
一例では、第１のメッセージは、共通メッセージと、ＵＥ固有メッセージとを含むことがあり、共通メッセージは、第１のＰＤＣＣＨに対して、関連付けられるヌメロロジーを伴う共通制御リソース・セットを指示するように構成され、ＵＥ固有メッセージは、第２のＰＤＣＣＨに対して、関連付けられるヌメロロジーを伴うＵＥ固有制御リソース・セットを指示するように構成される。第２のメッセージは、第１または第２のＰＤＣＣＨで送信されるＤＣＩであることがある。
【００１５】
一例では、第１のメッセージは、以前のＰＤＣＣＨから生じることがある。
【００１６】
一例では、ＰＤＣＣＨに対する、第１の関連付けられるヌメロロジーは、以前のＰＤＣＣＨに対するものと同じである。
【００１７】
一例では、第１および第２のメッセージの各々は、ＳＩ、ＲＲＣシグナリング、および同報シグナリングのうちの１つであることがある。
【００１８】
一例では、別の物理チャネルは、物理ダウンリンク共有チャネル（ＰＤＳＣＨ）、物理アップリンク制御チャネル（ＰＵＣＣＨ）、および物理アップリンク共有チャネルＰＵＳＣＨのうちの少なくとも１つであることがある。
【００１９】
一例では、第１および第２の関連付けられるヌメロロジーの各々は、サブキャリア間隔（ＳＣＳ）およびサイクリック・プレフィックス（ＣＰ）のうちの少なくとも１つであることがある。
【００２０】
一例では、ＰＤＣＣＨは、別の物理チャネルのスケジューリング情報を内包することがある。
【００２１】
本開示の第４の態様では、物理ダウンリンク制御チャネル（ＰＤＣＣＨ）および別の物理チャネルに対して、周波数リソースのセットを決定するための装置が提供され、その装置は、受信モジュールと、決定モジュールとを含む。受信モジュールは、ＰＤＣＣＨおよび別の物理チャネルを受信するように構成される。ＰＤＣＣＨは、第１の関連付けられるヌメロロジーを伴う周波数リソースの第１のセットからのリソースで送信される。第１の関連付けられるヌメロロジーを伴う周波数リソースの第１のセットは、ＰＤＣＣＨに対して、第１のメッセージにより指示される。別の物理チャネルは、第２の関連付けられるヌメロロジーを伴う周波数リソースの第２のセットからのリソースで送信される。第２の関連付けられるヌメロロジーを伴う周波数リソースの第２のセットは、別の物理チャネルに対して、第２のメッセージにより指示される。決定モジュールは、ＰＤＣＣＨおよび別の物理チャネルに対する周波数リソースのセットを、第１および第２のメッセージによって決定するように構成される。
【００２２】
一例では、周波数リソースの第１および第２のセットは、帯域幅パート（ＢＷＰ）、または、ＢＷＰ内の制御リソース・セット（ＣＯＲＥＳＥＴ）である。
【００２３】
一例では、周波数リソースの第１のセットの少なくとも１つの部分は、周波数リソースの第２のセットと重ならないことがある。第１の関連付けられるヌメロロジーの値は、第２の関連付けられるヌメロロジーの値と異なることがある。
【００２４】
一例では、第１のメッセージは、ＳＩ、ＲＲＣシグナリング、および同報シグナリングのうちの１つであることがあり、第２のメッセージは、そのＰＤＣＣＨまたは後に続くＰＤＣＣＨで送信されるダウンリンク制御情報（ＤＣＩ）である。
【００２５】
一例では、第１のメッセージは、共通メッセージと、ＵＥ固有メッセージとを含むことがあり、共通メッセージは、第１のＰＤＣＣＨに対して、関連付けられるヌメロロジーを伴う共通制御リソース・セットを指示するように構成され、ＵＥ固有メッセージは、第２のＰＤＣＣＨに対して、関連付けられるヌメロロジーを伴うＵＥ固有制御リソース・セットを指示するように構成される。第２のメッセージは、第１または第２のＰＤＣＣＨで送信されるＤＣＩであることがある。
【００２６】
一例では、第１のメッセージは、以前のＰＤＣＣＨから生じることがある。
【００２７】
一例では、ＰＤＣＣＨに対する、第１の関連付けられるヌメロロジーは、以前のＰＤＣＣＨに対するものと同じである。
【００２８】
一例では、第１および第２のメッセージの各々は、ＳＩ、ＲＲＣシグナリング、および同報シグナリングのうちの１つであることがある。
【００２９】
一例では、別の物理チャネルは、物理ダウンリンク共有チャネル（ＰＤＳＣＨ）、物理アップリンク制御チャネル（ＰＵＣＣＨ）、および物理アップリンク共有チャネルＰＵＳＣＨのうちの少なくとも１つであることがある。
【００３０】
一例では、第１および第２の関連付けられるヌメロロジーの各々は、サブキャリア間隔（ＳＣＳ）およびサイクリック・プレフィックス（ＣＰ）のうちの少なくとも１つであることがある。
【００３１】
一例では、ＰＤＣＣＨは、別の物理チャネルのスケジューリング情報を内包することがある。
【００３２】
上記の全体的な説明、および、下記の詳細な説明は、例示的および解説的であるのみであり、本開示を制限することを意図されないということが理解されるべきである。
【００３３】
本開示は、例示としてのみ与えられ、したがって本開示について制限的ではない、下記の詳細な説明、および添付の図面から、より完全に理解されることになろう。
【図面の簡単な説明】
【００３４】
【図１】関係付けられる技術による、可変帯域幅サブ帯域シナリオでの構成を示す概略線図である。
【図２】関係付けられる技術による、同一帯域幅サブ帯域シナリオでの構成を示す概略線図である。
【図３】本開示の実現形態による、ＰＤＣＣＨおよび別の物理チャネルに対して、周波数リソースのセットを個別に構成するための方法を示すフロー・チャートである。
【図４】本開示の実現形態による、可変帯域幅サブ帯域シナリオでの構成を示す概略線図である。
【図５】本開示の実現形態による、同一帯域幅サブ帯域シナリオでの構成を示す概略線図である。
【図６】本開示の別の実現形態による、可変帯域幅サブ帯域シナリオでの構成を示す概略線図である。
【図７】本開示の別の実現形態による、同一帯域幅サブ帯域シナリオでの構成を示す概略線図である。
【図８】本開示のさらに別の実現形態による、可変帯域幅サブ帯域シナリオでの構成を示す概略線図である。
【図９】本開示のさらに別の実現形態による、可変帯域幅サブ帯域シナリオでの構成を示す概略線図である。
【図１０】本開示の実現形態による、ＰＤＣＣＨおよび別の物理チャネルに対して、周波数リソースのセットを決定するための方法を示すフロー・チャートである。
【図１１】本開示の実現形態による、ＰＤＣＣＨおよび別の物理チャネルに対して、周波数リソースのセットを個別に構成するための装置を示す概略線図である。
【図１２】本開示の実現形態による、ＰＤＣＣＨおよび別の物理チャネルに対して、周波数リソースのセットを決定するための装置を示す概略線図である。
【発明を実施するための形態】
【００３５】
次に、例示的な実現形態を詳細に参照するが、それらの実現形態の例は、添付の図面で図示されている。例示的な実現形態の、後に続く説明で論述される実現形態は、本開示と整合するすべての実現形態を表すものではない。それよりむしろ、それらの実現形態は、本開示に関係付けられる態様と整合する装置および方法の例にすぎない。
【００３６】
本開示の基本的着想は、個別のシグナリング／メッセージによって、ＰＤＣＣＨおよび他の物理チャネルに対して、対応するヌメロロジーを伴う周波数リソースのセットを個別に構成することである。かくして、１つの時間スケジューリング・ユニット（例えば、スロット、ミニ・スロット、サブフレーム）で、ＰＤＣＣＨおよび他の物理チャネルは、異なるサブ帯域分割、および、異なるヌメロロジー構成を有することができる。
【００３７】
図３は、本開示の実現形態による、ＰＤＣＣＨおよび別の物理チャネルに対して、周波数リソースのセットを個別に構成するための方法を示すフロー・チャートである。この方法は、基地局（５ＧではｇＮＢと呼ばれる）側またはシステム側で適用されることができる。図３を参照すると、方法は、後に続くステップを含む。
【００３８】
ステップ３０１で、第１のメッセージおよび第２のメッセージが、個別に構成される。第１のメッセージは、ＰＤＣＣＨに対して、第１の関連付けられるヌメロロジーを伴う周波数リソースの第１のセットを指示するように構成される。第２のメッセージは、別の物理チャネルに対して、第２の関連付けられるヌメロロジーを伴う周波数リソースの第２のセットを指示するように構成される。
【００３９】
ステップ３０２で、第１のメッセージおよび第２のメッセージは送信される。
【００４０】
ステップ３０３で、ＰＤＣＣＨは、周波数リソースの第１のセットからのリソースで送信される。
【００４１】
ステップ３０４で、別の物理チャネルは、周波数リソースの第２のセットからのリソースで送信される。
【００４２】
本明細書では、周波数リソースの第１および第２のセットは、帯域幅パート（ＢＷＰ）もしくはサブ帯域、または、ＢＷＰ／サブ帯域内の制御リソース・セット（ＣＯＲＥＳＥＴ）である。例えば、ＰＤＣＣＨに対する周波数リソースの第１のセットは、サブ帯域内の制御リソース・セット（ＣＯＲＥＳＥＴ）であり、他の物理チャネルに対する周波数リソースの第２のセットは、サブ帯域である。図４で示される実現形態を参照すると、ＰＤＣＣＨの、制御リソース・セットのサイズおよび位置、ならびに、それらの制御リソース・セットのヌメロロジー（ＳＣＳを一例として取り上げる）が、メッセージ１により指示され、しかるに、ＰＤＳＣＨの、サブ帯域のサイズおよび位置、ならびに、それらのサブ帯域のヌメロロジー（さらには、ＳＣＳを一例として取り上げる）が、メッセージ２により構成される。具体的には、サブ帯域２内のＳＣＳ２を伴う制御リソース・セットが、ＰＤＣＣＨ  Ｂに対して、メッセージ１により指示され、ＳＣＳ２を伴うサブ帯域２が、ＰＤＳＣＨ  Ｂに対して、メッセージ２により指示される。本明細書では、メッセージ１は、第１のメッセージであり、ＳＩ、または同報シグナリング、またはＲＲＣシグナリングであることがある。メッセージ２は、第２のメッセージであり、ＰＤＣＣＨで送信されるＤＣＩであることがある。
【００４３】
例示的な例では、周波数リソースの第１のセットの少なくとも１つの部分は、周波数リソースの第２のセットと重ならないことがある。同様に、第１の関連付けられるヌメロロジーの値は、第２の関連付けられるヌメロロジーの値と異なることがある。
【００４４】
再び図４で示される実現形態を参照すると、ＰＤＣＣＨ  Ａに対するＳＣＳ１を伴う制御リソース・セットの一部分は、ＰＤＳＣＨ  Ａに対するＳＣＳ１を伴うサブ帯域１を占有し、ＰＤＣＣＨ  Ａに対するＳＣＳ１を伴う制御リソース・セットの他の一部分は、ＰＤＳＣＨ  Ｂに対するＳＣＳ２を伴うサブ帯域２を占有する。換言すれば、ＰＤＳＣＨ  Ｂに対するＳＣＳ２を伴うサブ帯域２の中で、一部のリソースは、ＰＤＣＣＨ  Ａに対するＳＣＳ１を伴う制御リソース・セットに対して構成されることができる。ＰＤＣＣＨに対する周波数リソースの第１のセットは、必ずしも、ＰＤＣＣＨに対応するＰＤＳＣＨに対する周波数リソースの第２のセットの中にあるわけではない。しかるがゆえに、ＰＤＣＣＨおよびＰＤＳＣＨは、異なるサブ帯域分割、および、対応するヌメロロジー構成を有することができる。それゆえに、帯域幅リソースは効果的に利用され、リソース構成の完全な柔軟性が提供される。
【００４５】
図５で示される実現形態を参照すると、この実現形態は、図４で示される実現形態と同様である。違いは、サブ帯域が、この実現形態では同一サイズを伴って分割されるということである。異なる量のリソースが、異なる数のサブ帯域を割り当てることにより、異なるヌメロロジーに対して構成されることができる。例えば図５では、同一帯域幅を伴う４つのサブ帯域、すなわち、サブ帯域２〜サブ帯域５が、ＰＤＳＣＨ  Ｂに対して指示される。サブ帯域２の中で、ＰＤＣＣＨはＳＣＳ１を伴って構成され、ＰＤＳＣＨはＳＣＳ２を伴って構成される。第１の関連付けられるヌメロロジーの値は、第２の関連付けられるヌメロロジーの値と異なる。ＰＤＣＣＨおよびＰＤＳＣＨに対するヌメロロジーの値は異なることがある。
【００４６】
例示的な例では、第１のメッセージは、共通メッセージと、ＵＥ固有メッセージとを含む。共通メッセージは、第１のＰＤＣＣＨに対して、関連付けられるヌメロロジーを伴う共通制御リソース・セットを指示するように構成され、ＵＥ固有メッセージは、第２のＰＤＣＣＨに対して、関連付けられるヌメロロジーを伴うＵＥ固有制御リソース・セットを指示するように構成される。第２のメッセージは、第１または第２のＰＤＣＣＨで送信されるＤＣＩである。図６で示される実現形態を参照すると、ＳＩ、同報シグナリング、またはＲＲＣシグナリングなどの共通メッセージは、第１のＰＤＣＣＨ、特に、第１のＰＤＣＣＨの共通ＤＣＩに対して、ＳＣＳ２を伴う共通制御リソース・セットを指示する。ＵＥ固有メッセージは、第２のＰＤＣＣＨ、特に、第２のＰＤＣＣＨのＵＥ固有ＤＣＩに対して、ＳＣＳ１を伴うＵＥ固有制御リソース・セットを指示する。本明細書では、ＵＥ固有メッセージは、図６で示されるように、ＳＩ、同報シグナリング、またはＲＲＣシグナリングであることがある。別の例として、ＵＥ固有メッセージは、図７で示されるように、共通メッセージにより指示される共通ＤＣＩであることがある。同様に、第２のメッセージは、共通メッセージにより指示される共通ＤＣＩ、または、ＵＥ固有メッセージにより指示されるＵＥ固有ＤＣＩであることがある。換言すれば、第２のメッセージは、第１のＰＤＣＣＨで送信されるＤＣＩであることがあり、またはさらには、第２のＰＤＣＣＨで送信されるＤＣＩであることがある。
【００４７】
例示的な例では、第１のメッセージは、ＳＩ、ＲＲＣシグナリング、または同報シグナリングのうちのいずれか１つであることがあり、第２のメッセージは、そのＰＤＣＣＨまたは後に続くＰＤＣＣＨで送信されるダウンリンク制御情報（ＤＣＩ）である。
【００４８】
例示的な例では、第１のメッセージは、以前のＰＤＣＣＨから生じる。この事例では、ＰＤＣＣＨに対する、第１の関連付けられるヌメロロジーは、以前のＰＤＣＣＨに対するものと同じであることがある。図８で示される実現形態を参照すると、ＰＤＣＣＨ  Ｃに対するメッセージ１は、同じＳＣＳを伴う以前のＰＤＣＣＨ  Ｃ’から生じる。この事例では、ＰＤＣＣＨ  Ｃの現在のリソース・セットのＳＣＳは、以前のＰＤＣＣＨ  Ｃ’のリソース・セットのＳＣＳから暗黙的に導出されることができ、ＳＣＳは、以前のＰＤＣＣＨ  Ｃ’により明示的に指示されることを要されない。ＰＤＳＣＨ  Ｃに対するメッセージ２は、現在のＰＤＣＣＨ  Ｃで送信されるＤＣＩである。同様に、ＰＤＳＣＨサブ帯域に対するＳＣＳは、ＤＣＩのＳＣＳから暗黙的に導出されることができ、ＤＣＩにより明示的に指示されることを要されない。
【００４９】
例示的な例では、第１および第２のメッセージの各々は、ＳＩ、ＲＲＣシグナリング、および同報シグナリングのうちの１つである。図９で示される実現形態を参照すると、メッセージ２は、まさにメッセージ１と同じように、さらには、ＳＩ、ＲＲＣシグナリング、および同報シグナリングのうちの１つであることがある。
【００５０】
上記で示されたように、ＰＤＣＣＨおよびＰＤＳＣＨに対するリソースは、個別メッセージ１および２によって個別に構成されるので、ＰＤＣＣＨに対するリソース・セットと、ＰＤＳＣＨに対するサブ帯域との間の、重なるリソースが起こり得る。図４での円によって示されるように、ＰＤＳＣＨ  Ｂに対して構成されるＳＣＳ２を伴うサブ帯域の中で、一部のリソースは、さらには、ＰＤＣＣＨ  Ａに対するＳＣＳ１を伴う制御リソース・セットに対して構成されることがある。この事例では、ｇＮＢスケジューラは、ＰＤＳＣＨ  Ｂに対する重なるリソースをスケジューリングしないことにより、リソース割り当て競合を回避することができる。例えば、ＳＣＳ２を伴うサブ帯域２の最初のいくつかのシンボルでのリソースは、ＰＤＣＣＨ  Ａに対して予約される。すなわち、リソース、これらの最初のいくつかのシンボルは、ＰＤＳＣＨ  Ｂを送信することにおいてはスケジューリングされない。さらに、ＰＤＣＣＨは、これらの他の物理チャネルのスケジューリング情報を含むことがある。
【００５１】
本開示の上記の実現形態は、ＰＤＳＣＨを、別の物理チャネルの一例として取り上げるということが特記される。間違いなく、物理アップリンク制御チャネル（ＰＵＣＣＨ）および物理アップリンク共有チャネル（ＰＵＳＣＨ）などの他の物理チャネルが適用可能である。
【００５２】
本開示の上記の実現形態は、ＳＣＳを、ヌメロロジーの一例として取り上げるということが特記される。サイクリック・プレフィックス（ＣＰ）、または同類のものなどの他のヌメロロジーが、さらには適用可能である。加えて、単一ヌメロロジーおよびマルチ・ヌメロロジーの両方が、さらには、上記の実現形態に対して適用可能である。
【００５３】
それに対応して、ＵＥの側では、ＰＤＣＣＨおよび別の物理チャネルに対して、周波数リソースのセットを決定するための方法が適用されることができる。図１０は、本開示の実現形態による、ＰＤＣＣＨおよび別の物理チャネルに対して、周波数リソースのセットを決定するための方法を示すフロー・チャートである。図１０を参照すると、方法は、後に続くステップを含む。
【００５４】
ステップ４０１で、ＰＤＣＣＨが受信される。ＰＤＣＣＨは、第１の関連付けられるヌメロロジーを伴う周波数リソースの第１のセットからのリソースで送信される。第１の関連付けられるヌメロロジーを伴う周波数リソースの第１のセットは、ＰＤＣＣＨに対して、第１のメッセージにより指示される。
【００５５】
ステップ４０２で、別の物理チャネルが受信される。別の物理チャネルは、第２の関連付けられるヌメロロジーを伴う周波数リソースの第２のセットからのリソースで送信される。第２の関連付けられるヌメロロジーを伴う周波数リソースの第２のセットは、別の物理チャネルに対して、第２のメッセージにより指示される。
【００５６】
ステップ４０３で、ＰＤＣＣＨおよび別の物理チャネルに対する周波数リソースのセットは、第１および第２のメッセージによって決定される。
【００５７】
一例では、周波数リソースの第１および第２のセットは、帯域幅パート（ＢＷＰ）、または、ＢＷＰ内の制御リソース・セット（ＣＯＲＥＳＥＴ）である。
【００５８】
一例では、周波数リソースの第１のセットの少なくとも１つの部分は、周波数リソースの第２のセットと重ならない。第１の関連付けられるヌメロロジーの値は、第２の関連付けられるヌメロロジーの値と異なる。
【００５９】
一例では、第１のメッセージは、ＳＩ、ＲＲＣシグナリング、または同報シグナリングのうちの１つであり、第２のメッセージは、そのＰＤＣＣＨまたは後に続くＰＤＣＣＨで送信されるダウンリンク制御情報（ＤＣＩ）である。
【００６０】
一例では、第１のメッセージは、共通メッセージと、ＵＥ固有メッセージとを含み、共通メッセージは、第１のＰＤＣＣＨに対して、関連付けられるヌメロロジーを伴う共通制御リソース・セットを指示するように構成され、ＵＥ固有メッセージは、第２のＰＤＣＣＨに対して、関連付けられるヌメロロジーを伴うＵＥ固有制御リソース・セットを指示するように構成される。第２のメッセージは、第１または第２のＰＤＣＣＨで送信されるＤＣＩである。
【００６１】
一例では、第１のメッセージは、以前のＰＤＣＣＨから生じる。
【００６２】
一例では、ＰＤＣＣＨに対する、第１の関連付けられるヌメロロジーは、以前のＰＤＣＣＨに対するものと同じである。
【００６３】
一例では、第１および第２のメッセージの各々は、ＳＩ、ＲＲＣシグナリング、および同報シグナリングのうちの１つである。
【００６４】
一例では、別の物理チャネルは、物理ダウンリンク共有チャネル（ＰＤＳＣＨ）、物理アップリンク制御チャネル（ＰＵＣＣＨ）、および物理アップリンク共有チャネル（ＰＵＳＣＨ）のうちの少なくとも１つである。
【００６５】
一例では、第１および第２の関連付けられるヌメロロジーの各々は、サブキャリア間隔（ＳＣＳ）およびサイクリック・プレフィックス（ＣＰ）のうちの少なくとも１つである。
【００６６】
図１１は、本開示の実現形態による、ＰＤＣＣＨおよび別の物理チャネルに対して、周波数リソースのセットを個別に構成するための装置を示している。図１１を参照すると、装置１１００は、構成モジュール１１０１と、送信モジュール１１０２とを含む。
【００６７】
構成モジュール１１０１は、第１のメッセージおよび第２のメッセージを構成するためのものである。第１のメッセージは、ＰＤＣＣＨに対して、第１の関連付けられるヌメロロジーを伴う周波数リソースの第１のセットを指示するように構成され、第２のメッセージは、別の物理チャネルに対して、第２の関連付けられるヌメロロジーを伴う周波数リソースの第２のセットを指示するように構成される。
【００６８】
送信モジュール１１０２は、第１のメッセージおよび第２のメッセージを送信し、ＰＤＣＣＨを、周波数リソースの第１のセットからのリソースで送信し、別の物理チャネルを、周波数リソースの第２のセットからのリソースで送信するように構成される。
【００６９】
第１および第２のメッセージ、ならびに、装置の具体的な実現形態に関する詳細な説明は、本明細書では再び説明されない、図３〜図９との組み合わせで説明される方法実現形態を参照することができる。
【００７０】
図１２は、本開示の実現形態による、ＰＤＣＣＨおよび別の物理チャネルに対して、周波数リソースのセットを決定するための装置を示している。図１２を参照すると、装置１２００は、受信モジュール１２０１と、決定モジュール１２０２とを含む。
【００７１】
受信モジュール１２０１は、ＰＤＣＣＨおよび別の物理チャネルを受信するように構成される。ＰＤＣＣＨは、第１の関連付けられるヌメロロジーを伴う周波数リソースの第１のセットからのリソースで送信される。第１の関連付けられるヌメロロジーを伴う周波数リソースの第１のセットは、ＰＤＣＣＨに対して、第１のメッセージにより指示される。別の物理チャネルは、第２の関連付けられるヌメロロジーを伴う周波数リソースの第２のセットからのリソースで送信される。第２の関連付けられるヌメロロジーを伴う周波数リソースの第２のセットは、別の物理チャネルに対して、第２のメッセージにより指示される。
【００７２】
決定モジュール１２０２は、ＰＤＣＣＨおよび別の物理チャネルに対する周波数リソースのセットを、第１および第２のメッセージによって決定するように構成される。
【００７３】
第１および第２のメッセージ、ならびに、装置の具体的な実現形態に関する詳細な説明は、本明細書では再び説明されない、図１０との組み合わせで説明される方法実現形態を参照することができる。
【００７４】
本明細書で使用される用語「パート」、「モジュール」、「システム」、および同類のものは、エンティティ、ハードウェア、ファームウェア、ハードウェアおよびソフトウェアの組み合わせ、ソフトウェア、または、コンピュータに関係付けられる実行においてのソフトウェアを表すために採用されるものである。例えば、パートは、プロセッサ上で走るプロセス、プロセッサ、オブジェクト、実行可能ファイル、実行スレッド、プログラム、および／またはコンピュータであることがあるが、それらに制限されない。コンピューティング機器上で走るすべてのアプリケーション、およびコンピューティング機器は、パートであることがあるということが、図表を用いて表される。１つまたは複数のパートは、プロセスおよび／または実行スレッドに常駐することがあり、パートは、コンピュータ上に配置される、および／または、２つ以上のコンピュータの間で分散されることがある。加えて、これらのパートは、様々なデータ構造が記憶される、様々なコンピュータ可読媒体から実行されることがある。パートは、例えば、１つまたは複数のデータ・グループ（例えば、ローカル・システム、分散システム、および／またはネットワーク、例えば、信号によって別のシステムと相互作用するインターネットで互いに相互作用する２つのパートからのデータ）を伴う信号によって、ローカルおよび／またはリモート・プロセスによって通信することができる。
【００７５】
当業者は、本開示で開示される実現形態との組み合わせで説明される各々の例のモジュールおよびアルゴリズム動作が、電子ハードウェア、または、コンピュータ・ソフトウェアおよび電子ハードウェアの組み合わせにより実現されることができるということに気付くことができる。これらの機能が実行されるのが、ハードウェア様式であるか、それともソフトウェア様式であるかは、技術的解決策の特定の用途および設計制約によって決まる。当業者は、説明された機能を、各々の特定の用途に対して、異なる方法により現実化することができるが、そのような現実化は、本開示の範囲内に入るものとする。
【００７６】
当業者は、上記で説明されたシステム、デバイス、およびモジュールの具体的な作動プロセスは、好都合で簡単な説明のために、方法実現形態での対応するプロセスを参照することがあり、本明細書で詳述されないことになるということに関して、明確に知ることができる。
【００７７】
本開示により提供される一部の実現形態では、開示されるシステム、デバイス、および方法は、別の様式で実現されることがあるということが理解されるべきである。上記で説明されたデバイス実現形態は、概略的であるのみであり、例えば、モジュールの分離は、論理機能分離であるのみであり、他の分離様式が、実際上の実現形態の間に採用されることがある。例えば、複数個のモジュールもしくは構成要素は、別のシステムに組み合わされる、もしくは統合されることがあり、または、一部の特性は、無視される、もしくは実行されないことがある。
【００７８】
別々のパートとして説明されるモジュールは、物理的に分けられることがあり、またはそうではないことがあり、モジュールとして表示されるパートは、物理的モジュールであることがあり、またはそうではないことがあり、すなわち、同じ場所に配置されることがあり、またはさらには、複数個のネットワーク・モジュールに分散されることがある。モジュールのパートまたはすべては、実現形態の解決策の目的を達成するために、実際上の要件によって選択されることがある。
【００７９】
加えて、本開示の各々の実現形態での各々の機能モジュールは、処理ユニットに統合されることがあり、各々のモジュールは、さらには独立して存在することがあり、２つ、または３つ以上のモジュールが、さらにはモジュールに統合されることがある。
【００８０】
ソフトウェア機能モジュールの形態で実現され、独立した製品として販売または使用されているとき、機能は、さらにはコンピュータ可読記憶媒体に記憶されることができる。そのような理解に基づいて、実質的に、本開示の技術的解決策、または、従来の技術に対する貢献を行うパートは、ソフトウェア製品の形態で実施されることができ、コンピュータ・ソフトウェア製品は、コンピュータ・デバイス（パーソナル・コンピュータ、サーバ、ネットワーク機器、または同類のものであることがある）が、本開示の各々の実現形態での方法の動作のすべてまたはパートを実行することを可能にするように構成される複数の命令を含む、記憶媒体に記憶される。上記で述べられた記憶媒体は、Ｕディスク、モバイル・ハード・ディスク、ＲＯＭ、ＲＡＭ、磁気ディスク、または光学ディスクなどの、プログラム・コードを記憶する能力のある様々な媒体を含む。
【００８１】
上記のものは、本開示の特定の実現形態モードであるのみであり、本開示の保護の範囲を制限することを意図されない。当業者に明らかな、いかなる変形または置換も、本開示の保護の範囲内に入るものとする。それゆえに、本開示の保護の範囲は、特許請求の範囲の保護の範囲にしたがうべきものとする。
【手続補正２】
【補正対象書類名】特許請求の範囲
【補正対象項目名】全文
【補正方法】変更
【補正の内容】
【特許請求の範囲】
【請求項１】
物理ダウンリンク制御チャネル（ＰＤＣＣＨ）および別の物理チャネルに対して、周波数リソースのセットを個別に構成するための方法であって、
第１のメッセージおよび第２のメッセージを構成することであって、前記第１のメッセージは、前記ＰＤＣＣＨに対して、第１の関連付けられるヌメロロジーを伴う周波数リソースの第１のセットを指示するように構成され、前記第２のメッセージは、前記別の物理チャネルに対して、第２の関連付けられるヌメロロジーを伴う周波数リソースの第２のセットを指示するように構成される、構成することと（３０１）、
前記第１のメッセージおよび前記第２のメッセージを送信することと（３０２）、
前記ＰＤＣＣＨを、周波数リソースの前記第１のセットからのリソースで送信することと（３０３）、
前記別の物理チャネルを、周波数リソースの前記第２のセットからのリソースで送信することと（３０４）
を備える、方法。
【請求項２】
周波数リソースの前記第１および第２のセットは、帯域幅パート（ＢＷＰ）、またはＢＷＰ内の制御リソース・セット（ＣＯＲＥＳＥＴ）である、請求項１に記載の方法。
【請求項３】
周波数リソースの前記第１のセットの少なくとも１つの部分は、周波数リソースの前記第２のセットと重ならず、かつ
前記第１の関連付けられるヌメロロジーの値は、前記第２の関連付けられるヌメロロジーの値と異なる、請求項１または２に記載の方法。
【請求項４】
前記第１のメッセージは、システム情報（ＳＩ）、無線リソース制御（ＲＲＣ）シグナリング、または同報シグナリングのうちの１つであり、前記第２のメッセージは、前記ＰＤＣＣＨまたは後に続くＰＤＣＣＨで送信されるダウンリンク制御情報（ＤＣＩ）である、請求項１に記載の方法。
【請求項５】
前記別の物理チャネルは、物理ダウンリンク共有チャネル（ＰＤＳＣＨ）、物理アップリンク制御チャネル（ＰＵＣＣＨ）、および物理アップリンク共有チャネル（ＰＵＳＣＨ）のうちの少なくとも１つである、請求項１ないし４のいずれか一項に記載の方法。
【請求項６】
前記第１および第２の関連付けられるヌメロロジーの各々は、サブキャリア間隔（ＳＣＳ）およびサイクリック・プレフィックス（ＣＰ）のうちの少なくとも１つである、請求項１ないし５のいずれか一項に記載の方法。
【請求項７】
前記ＰＤＣＣＨは、前記別の物理チャネルのスケジューリング情報を内包する、請求項１ないし６のいずれか一項に記載の方法。
【請求項８】
物理ダウンリンク制御チャネル（ＰＤＣＣＨ）および別の物理チャネルを受信するための方法であって、
前記ＰＤＣＣＨを受信することであって、前記ＰＤＣＣＨは、第１の関連付けられるヌメロロジーを伴う周波数リソースの第１のセットからのリソースで送信され、前記第１の関連付けられるヌメロロジーを伴う周波数リソースの前記第１のセットは、前記ＰＤＣＣＨに対して、第１のメッセージにより指示される、受信することと（４０１）、
前記別の物理チャネルを受信することであって、前記別の物理チャネルは、第２の関連付けられるヌメロロジーを伴う周波数リソースの第２のセットからのリソースで送信され、前記第２の関連付けられるヌメロロジーを伴う周波数リソースの前記第２のセットは、前記別の物理チャネルに対して、第２のメッセージにより指示される、受信することと（４０２）、
を備える、方法。
【請求項９】
周波数リソースの前記第１および第２のセットは、帯域幅パート（ＢＷＰ）、または、ＢＷＰ内の制御リソース・セット（ＣＯＲＥＳＥＴ）である、請求項８に記載の方法。
【請求項１０】
周波数リソースの前記第１のセットの少なくとも１つの部分は、周波数リソースの前記第２のセットと重ならない、請求項８または９に記載の方法。
【請求項１１】
前記第１の関連付けられるヌメロロジーの値は、前記第２の関連付けられるヌメロロジーの値と異なる、請求項８または９に記載の方法。
【請求項１２】
前記第１のメッセージは、ＳＩ、ＲＲＣシグナリング、および同報シグナリングのうちの１つであり、前記第２のメッセージは、前記ＰＤＣＣＨまたは後に続くＰＤＣＣＨで送信されるダウンリンク制御情報（ＤＣＩ）である、請求項８に記載の方法。
【請求項１３】
前記第１のメッセージは、共通メッセージと、ＵＥ固有メッセージとを含み、前記共通メッセージは、第１のＰＤＣＣＨに対して、関連付けられるヌメロロジーを伴う共通制御リソース・セットを指示するように構成され、前記ＵＥ固有メッセージは、第２のＰＤＣＣＨに対して、関連付けられるヌメロロジーを伴うＵＥ固有制御リソース・セットを指示するように構成され、
前記第２のメッセージは、前記第１または第２のＰＤＣＣＨで送信されるＤＣＩであり、
前記第１のメッセージは、以前のＰＤＣＣＨから生じ、
前記ＰＤＣＣＨに対する、前記第１の関連付けられるヌメロロジーは、前記以前のＰＤＣＣＨに対するものと同じであり、
前記第１および第２のメッセージの各々は、ＳＩ、ＲＲＣシグナリング、および同報シグナリングのうちの１つである、請求項８に記載の方法。
【請求項１４】
前記別の物理チャネルは、物理ダウンリンク共有チャネル（ＰＤＳＣＨ）、物理アップリンク制御チャネル（ＰＵＣＣＨ）、および物理アップリンク共有チャネルＰＵＳＣＨのうちの少なくとも１つである、請求項８ないし１３のいずれか一項に記載の方法。
【請求項１５】
前記第１および第２の関連付けられるヌメロロジーの各々は、サブキャリア間隔（ＳＣＳ）およびサイクリック・プレフィックス（ＣＰ）のうちの少なくとも１つである、請求項８ないし１４のいずれか一項に記載の方法。
【請求項１６】
前記ＰＤＣＣＨは、前記別の物理チャネルのスケジューリング情報を内包する、請求項８ないし１５のいずれか一項に記載の方法。
【請求項１７】
メモリおよびプロセッサを備え、請求項１ないし７のいずれか一項に記載の方法を実行するように構成された装置。
【請求項１８】
メモリおよびプロセッサを備え、請求項８ないし１６のいずれか一項に記載の方法を実行するように構成された装置。